【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
レンズを保持し、カムフォロアを有するレンズ保持部材と、
前記レンズ保持部材に係合し、該レンズ保持部材の光軸方向への移動をガイドする第１支持軸と、
前記光軸方向の長さが前記第１支持軸より短く、前記レンズ保持部材に係合し、該レンズ保持部材の前記第１支持軸回りでの回転を阻止する、固定部材に固定された第２支持軸と、
光軸回りで回転可能であり、前記カムフォロアが係合するカム環と、
前記カム環を回転させるカム環駆動機構と、
電気接点であるマウント接点と、を有するカメラ本体に取り外し可能に装着可能な交換レンズであって、
前記光軸方向から見た場合において、
前記第１支持軸、前記カム環駆動機構および前記マウント接点が互いに重ならない領域に配置され、
前記固定部材が、前記マウント接点に重なる領域に配置され、
前記光軸方向に直交する方向から見た場合において、前記第１支持軸と前記カム環駆動機構、前記第１支持軸と前記マウント接点が重なることを特徴とする交換レンズ。
【請求項２】
第１レンズ群を保持し、第１のカムフォロアを有する第１レンズ保持部材と、
第２レンズ群を保持し、第２のカムフォロアを有する第２レンズ保持部材と、
前記第１レンズ保持部材および前記第２レンズ保持部材に係合する第１カム部および第２カム部が形成され、光軸回りで回転することにより前記第１および第２レンズ保持部材を光軸方向に移動させるカム環と、
前記第２レンズ保持部材に係合し、前記第２レンズ保持部材の前記光軸方向への移動をガイドする第１支持軸と、
前記光軸方向の長さが前記第１支持軸より短く、前記第２レンズ保持部材に係合し、前記第２レンズ保持部材の前記第１支持軸回りでの回転を阻止する、固定部材に固定された第２支持軸と、
光軸回りで回転可能であり、前記第１のカムフォロア及び第２のカムフォロアが係合するカム環と、
前記カム環を回転させるカム環駆動機構と、
電気接点であるマウント接点と、を有するカメラ本体に取り外し可能に装着可能な交換レンズであって、
前記光軸方向から見た場合において、
前記第１支持軸、前記カム環駆動機構および前記マウント接点が互いに重ならない領域に配置され、
前記固定部材が、前記マウント接点に重なる領域に配置され、
前記光軸方向に直交する方向から見た場合において、前記第１支持軸と前記カム環駆動機構、前記第１支持軸と前記マウント接点が重なることを特徴とする交換レンズ。
【請求項３】
前記第１レンズ保持部材に３本の前記第１のカムフォロアが設けられ、該第１のカムフォロアが前記カム環に設けられた３本の前記第１カム部に係合し、
前記第２レンズ保持部材に３本より少ない数の前記第２のカムフォロアが設けられ、前記第２のカムフォロアが前記カム環に設けられた３本より少ない数の前記第２カム部に係合していることを特徴とする請求項２に記載の交換レンズ。
【請求項４】
前記第２レンズ保持部材は、第１１カムフォロアおよび第１２カムフォロアを有し、
前記第１１カムフォロアは、前記第１支持軸に係合する丸穴部を有する第１支持軸係合部に設けられ、
前記第１２カムフォロアは、前記第２支持軸に係合する溝部を有する第２支持軸係合部に設けられていることを特徴とする請求項３に記載の交換レンズ。
【請求項５】
前記光軸方向から見た場合において、
前記第１２カムフォロアは、前記光軸と前記第１１カムフォロアとを結ぶ直線上とは異なる位置に配置されていることを特徴とする請求項４に記載の交換レンズ。
【手続補正２】
【補正対象書類名】明細書
【補正対象項目名】００１０
【補正方法】変更
【補正の内容】
【００１０】
本発明の一側面としての交換レンズは、レンズを保持し、カムフォロアを有するレンズ保持部材と、前記レンズ保持部材に係合し、該レンズ保持部材の光軸方向への移動をガイドする第１支持軸と、前記光軸方向の長さが前記第１支持軸より短く、前記レンズ保持部材に係合し、該レンズ保持部材の前記第１支持軸回りでの回転を阻止する、固定部材に固定された第２支持軸と、光軸回りで回転可能であり、前記カムフォロアが係合するカム環と、前記カム環を回転させるカム環駆動機構と、電気接点であるマウント接点と、を有するカメラ本体に取り外し可能に装着可能な交換レンズであって、前記光軸方向から見た場合において、前記第１支持軸、前記カム環駆動機構および前記マウント接点が互いに重ならない領域に配置され、前記固定部材が、前記マウント接点に重なる領域に配置され、前記光軸方向に直交する方向から見た場合において、前記第１支持軸と前記カム環駆動機構、前記第１支持軸と前記マウント接点が重なることを特徴とする。
【手続補正３】
【補正対象書類名】明細書
【補正対象項目名】００１１
【補正方法】変更
【補正の内容】
【００１１】
また、本発明の他の一側面としての交換レンズは、第１レンズ群を保持し、第１のカムフォロアを有する第１レンズ保持部材と、第２レンズ群を保持し、第２のカムフォロアを有する第２レンズ保持部材と、前記第１レンズ保持部材および前記第２レンズ保持部材に係合する第１カム部および第２カム部が形成され、光軸回りで回転することにより前記第１および第２レンズ保持部材を光軸方向に移動させるカム環と、前記第２レンズ保持部材に係合し、前記第２レンズ保持部材の前記光軸方向への移動をガイドする第１支持軸と、前記光軸方向の長さが前記第１支持軸より短く、前記第２レンズ保持部材に係合し、前記第２レンズ保持部材の前記第１支持軸回りでの回転を阻止する、固定部材に固定された第２支持軸と、光軸回りで回転可能であり、前記第１のカムフォロア及び第２のカムフォロアが係合するカム環と、前記カム環を回転させるカム環駆動機構と、電気接点であるマウント接点と、を有するカメラ本体に取り外し可能に装着可能な交換レンズであって、前記光軸方向から見た場合において、前記第１支持軸、前記カム環駆動機構および前記マウント接点が互いに重ならない領域に配置され、前記固定部材が、前記マウント接点に重なる領域に配置され、前記光軸方向に直交する方向から見た場合において、前記第１支持軸と前記カム環駆動機構、前記第１支持軸と前記マウント接点が重なることを特徴とする。
【手続補正４】
【補正対象書類名】明細書
【補正対象項目名】００１７
【補正方法】変更
【補正の内容】
【００１７】
図３および図１に示すように、１群鏡筒２の外周部には、周方向に等間隔で３本の第１カムピン（第１のカムフォロア）４が設けられている。これら３本の第１カムピン４は、鏡筒本体１の内部にて固定された固定筒５に光軸方向に延びるように形成された３本の第１直進溝部４１ａに係合している。さらに、３本の第１カムピン４は、固定筒５の外周に配置され、固定筒５に対して光軸回りで回転可能なカム環６に形成された３本の第１カム溝部（第１カム部）４２ａに係合している。図６には、固定筒５の全体を示している。また、図７には、カム環６の全体を示している。
【手続補正５】
【補正対象書類名】明細書
【補正対象項目名】００２０
【補正方法】変更
【補正の内容】
【００２０】
また、図４および図２に示すように、２群鏡筒１１の外周部には、第２メインカムピン（第１１カムフォロア）１３ａおよび第２サブカムピン（第１２カムフォロア）１３ｂ（以下、これらをまとめて第２のカムフォロアとしての第２カムピン１３ともいう）が設けられている。第２メインカムピン１３ａおよび第２サブカムピン１３ｂはそれぞれ、固定筒５に光軸方向に延びるように形成された第２メイン直進溝部４１ｂおよび第２サブ直進溝部４１ｃ（以下、これらをまとめて第２直進溝部ともいう）に係合している。さらに、第２メインカムピン１３ａおよび第２サブカムピン１３ｂはそれぞれ、カム環６に形成された第２メインカム溝部４２ｂおよび第２サブカム溝部４２ｃ（以下、これらをまとめて第２カム溝部（第２カム部）ともいう）に係合している。光軸方向視において、第２カムピン１３は、光軸と第１カムピン４とを結ぶ直線上とは異なる位置に配置されている。
【手続補正６】
【補正対象書類名】明細書
【補正対象項目名】００３３
【補正方法】変更
【補正の内容】
【００３３】
図３、図４、図８および図９に示すように、鏡筒本体１の後端には、カメラ本体に対して取り外し可能に装着されるマウント部２３が取り付けられている。マウント部２３の最外周部分の後端面は、交換レンズをカメラ本体に装着する際の基準面（マウント基準面）２４となる。マウント部２３に形成されたバヨネット爪２５は、交換レンズをカメラ本体に装着する際にカメラ本体のマウント部に設けられたバヨネット爪と係合する。これにより、交換レンズをカメラ本体に安定的に結合させることができる。
【手続補正７】
【補正対象書類名】明細書
【補正対象項目名】００３７
【補正方法】変更
【補正の内容】
【００３７】
また、前述したようにメインガイドバー７は２群鏡筒１１との係合長を長くするために、１群鏡筒２の前端部からマウント部２３の近傍まで延びるように長く形成されている。これに対して、サブガイドバー８は、２群鏡筒１１の回転を阻止するための部材であるため、メインガイドバー７より短い。そこで、本実施例では、サブガイドバー固定部材３２を、光軸方向視においてマウント接点３５に重なる領域に配置している。これにより、鏡筒本体１の径が大きくなることを回避し、交換レンズの小型化を図っている。
また、光軸方向に直交する方向から見た場合において、第１支持軸とカム環駆動機構、第１支持軸とマウント接点が重なるように、第１支持軸、カム環駆動機構およびマウント接点を配置している。